(57)【要約】【課題】長期間連続して測定された血圧関連情報による被測定者の健康状態の把握を容易にする血圧関連情報表示装置および方法を提供する。【解決手段】  本発明の血圧関連情報表示装置は、被測定者の血圧に関する情報を表示画面に表示する血圧関連情報表示装置であって、被測定者のサージ血圧情報を取得する情報取得部１３１、２３１と、表示画面に、２４時間に対応する円状の時間軸Ｔを設定し、時間軸Ｔに時計回りに２４時間における単位時間の経過を表す時間目盛を設定し、時間軸Ｔの円弧の径方向Ａ外向きに延び、単位時間毎のサージ血圧情報に基づく値に応じた高さを有する棒グラフＢの集合を含む円状グラフＧ１、Ｇ２として、サージ血圧情報を表示する表示処理部１３２、２３２と、を備える。【選択図】図７
2018149175.tif 000002
【特許請求の範囲】
【請求項１】
被測定者の血圧に関する情報を表示画面に表示する血圧関連情報表示装置であって、
前記被測定者のサージ血圧情報を取得する情報取得部と、
前記表示画面に、２４時間に対応する円状の時間軸を設定し、時計回りに前記２４時間における単位時間の経過を表す時間目盛を前記時間軸に設定し、前記時間軸の円弧の径方向外向きに延び、前記単位時間毎の前記サージ血圧情報に基づく値に応じた高さを有する棒グラフの集合を含む円状グラフとして、前記サージ血圧情報を表示する表示処理部と、を備えた血圧関連情報表示装置。
【請求項２】
前記表示処理部は、前記棒グラフを前記径方向の複数の領域に区分し、前記複数の領域毎に異なる表示色とする、請求項１記載の血圧関連情報表示装置。
【請求項３】
前記情報取得部は、前記被測定者の心房細動発生情報を更に取得し、
前記表示処理部は、前記被測定者の心房細動が発生した時刻に対応する前記時間目盛にプロットを表示する、請求項１又は請求項２記載の血圧関連情報表示装置。
【請求項４】
前記サージ血圧情報は、前記２４時間における前記被測定者の最高サージ血圧値を含み、
前記表示処理部は、前記最高サージ血圧値に対応する前記棒グラフを他の前記棒グラフと異なる色で表示する、請求項１乃至請求項３のいずれか１項記載の血圧関連情報表示装置。
【請求項５】
前記被測定者の被測定部に装着する帯状体と、
前記帯状体を前記被測定部に装着した際に、少なくとも一部が前記被測定部と接触するように配置されたセンサ部と、
前記センサ部から前記被測定部へ印加する圧力を調整し、前記圧力に基づいて前記被測定者の最高血圧と最低血圧とを測定する血圧情報測定部と、
前記血圧情報測定部で測定された値を外部へ送信する通信部と、を更に備えた請求項１乃至請求項４のいずれか１項記載の血圧関連情報表示装置。
【請求項６】
被測定者の血圧に関する情報を表示画面に表示する方法であって、
被測定者のサージ血圧情報を取得し、
前記表示画面に、２４時間に対応する円状の時間軸を設定し、時計回りに前記２４時間における単位時間の経過を表す時間目盛を前記時間軸に設定し、前記時間軸の円弧の径方向外向きに延び、前記単位時間毎の前記サージ血圧情報に基づく値に応じた高さを有する棒グラフの集合を含む円状グラフとして、前記サージ血圧情報を表示する、血圧関連情報表示方法。
【発明の詳細な説明】
【技術分野】
【０００１】
本発明は、血圧関連情報表示装置および方法に関し、より詳しくは、被測定者の血圧に関する情報をグラフ化して表示画面に表示する血圧関連情報表示装置および方法に関する。
【背景技術】
【０００２】
従来、被測定者の血圧に関連する情報を表示する装置としては、例えば特許文献１（特開２００４−２６１４５２号公報）に開示されているように、測定された血圧値と、測定時刻情報や測定条件を対応付けてメモリに格納し、特定の時間帯に複数回測定された血圧値を平均した平均値を算出し、その算出結果に基づいてリスク値を算出および表示する血圧計が提案されている。
【０００３】
また、近年では、携帯型の血圧計により、被測定者の血圧を所定の時間間隔で長期間（例えば２４時間）測定し、測定結果に基づいて被測定者の健康管理を行うことが提案されている。
【先行技術文献】
【特許文献】
【０００４】
【特許文献１】特開２００４−２６１４５２号公報
【発明の概要】
【発明が解決しようとする課題】
【０００５】
例えば、所定の時間間隔で長期間測定した血圧値を、時系列に沿って数値でユーザ（被測定者や、被測定者の家族や、被測定者の主治医などの第３者）に提示すると、ユーザは膨大な数値の中から被測定者の血圧の傾向を分析しなければならなくなり、ユーザの負担が大きくなる可能性があった。また、ユーザが被測定者の血圧の傾向を誤って判断すると、被測定者の健康を正しく管理することができず、健康状態を悪化させてしまう可能性があった。
【０００６】
血圧を２４時間測定した結果をユーザへ提示する際には、ユーザが、例えば被測定者の血圧が高くなる時間帯や、被測定者の血圧が急激に上昇するサージ血圧の有無や、心房細動（ＡＦ：atrial fibrillation）の発生タイミングと血圧値との関連などにより被測定者の健康状態を正しく把握することを容易にし、被測定者の健康管理を支援可能とすることが期待される。
【０００７】
本発明は上記事情に着目してなされたもので、長期間連続して測定された血圧関連情報による被測定者の健康状態の把握を容易にする血圧関連情報表示装置および方法を提供することを目的とする。
【課題を解決するための手段】
【０００８】
上記課題を解決するため、本発明の第１の態様は、被測定者の血圧に関する情報を表示画面に表示する血圧関連情報表示装置であって、前記被測定者のサージ血圧情報を取得する情報取得部と、前記表示画面に、２４時間に対応する円状の時間軸を設定し、時計回りに前記２４時間における単位時間の経過を表す時間目盛を前記時間軸に設定し、前記時間軸の円弧の径方向外向きに延び、前記単位時間毎の前記サージ血圧情報に基づく値に応じた高さを有する棒グラフの集合を含む円状グラフとして、前記サージ血圧情報を表示する表示処理部と、を備えるものである。
【０００９】
本発明の第２の態様は、上記第１の態様において、前記表示処理部は、前記棒グラフを前記径方向の複数の領域に区分し、前記複数の領域毎に異なる表示色とするものである。
【００１０】
本発明の第３の態様は、上記第１又は第２の態様において、前記情報取得部は、前記被測定者の心房細動発生情報を更に取得し、前記表示処理部は、前記被測定者の心房細動が発生した時刻に対応する前記時間目盛にプロットを表示するものである。
【００１１】
本発明の第４の態様は、上記第１乃至第３の態様にいずれかにおいて、前記サージ血圧情報は、前記２４時間における前記被測定者の最高サージ血圧値を含み、前記表示処理部は、前記最高サージ血圧値に対応する前記棒グラフを他の前記棒グラフと異なる色で表示するものである。
【００１２】
本発明の第５の態様は、上記第１乃至第４の態様のいずれかにおいて、前記被測定者の被測定部に装着する帯状体と、前記帯状体を前記被測定部に装着した際に、少なくとも一部が前記被測定部と接触するように配置されたセンサ部と、前記センサ部から前記被測定部へ印加する圧力を調整し、前記被測定部に印加される圧力に基づいて前記被測定者の最高血圧と最低血圧とを測定する血圧情報測定部と、前記血圧情報測定部で測定された値を外部へ送信する通信部と、を更に備えたものである。
【発明の効果】
【００１３】
本発明の第１の態様によれば、長期間連続して測定された血圧関連情報を円状グラフにて表示することにより被測定者の健康状態の把握を容易にすることが可能となる。
【００１４】
本発明の第２の態様によれば、棒グラフの表示色を段階的に変えることにより、ユーザがサージ血圧の高低を色により識別することが可能となり、被測定者の健康状態を認識することを容易にすることができる。
【００１５】
本発明の第３の態様によれば、心房細動が発生した時刻（又は期間）を表示することにより、被測定者のサージ血圧値と心房細動とが発生する時間帯などを認識することが容易となり、被測定者の健康管理を行う際の負担を軽減することができ、被測定者の健康状態を改善することを支援することができる。
【００１６】
本発明の第４の態様によれば、被測定者のサージ血圧値と、心房細動が発生した時刻（又は期間）とを関連付けて表示することにより、ユーザがサージ血圧と心房細動との相互関係を認識することが容易となり、被測定者の健康管理を行う際の負担を軽減することができ、被測定者の健康状態を改善することを支援することができる。
【００１７】
本発明の第５の態様によれば、被測定者は血圧測定のために常に被測定部に装着された機器により、自身の健康状態を確認することが可能となり、被測定者の利便性を更に向上することができる。
【図面の簡単な説明】
【００１８】
【図１】図１は、本発明の一実施形態に係る血圧関連情報表示装置を備えた血圧関連情報管理システムの全体構成を概略的に示す図である。
【図２】図２は、図１に示す血圧測定器の構成の一例を示すブロック図である。
【図３】図３は、図１に示すユーザ端末の構成の一例を示すブロック図である。
【図４】図４は、図１に示すサーバの構成の一例を示すブロック図である。
【図５】図５は、本発明の一実施形態に係る血圧関連情報表示方法を説明するフローチャートである。
【図６】図６は、ユーザ端末の表示部に血圧関連情報を表示したときの一例を示す平面図である。
【図７】図７は、血圧関連情報の表示に含まれる円状グラフの一部を例示した図である。
【図８】図８は、本発明の一実施形態に係る血圧関連情報表示方法の他の例を説明するフローチャートである。
【図９】図９は、血圧測定器における血圧関連情報の表示の一例を示す平面図である。
【発明を実施するための形態】
【００１９】
以下、図面を参照して本発明に係る実施形態を説明する。  
［一実施形態］
（構成）
図１は、本発明の一実施形態に係る血圧関連情報表示装置を備えた血圧関連情報管理システムの全体構成を概略的に示す図である。
【００２０】
血圧関連情報管理システムは、血圧測定器１０と、ユーザ端末２０と、サーバ３０と、を含む。血圧測定器１０と、ユーザ端末２０と、サーバ３０とは、ネットワークを介して、無線通信或いは有線通信により互いに通信可能に構成されている。なお、血圧測定器１０は、ユーザ端末２０を介してサーバ３０と通信可能に構成されてもよい。
【００２１】
血圧測定器１０は、帯状体と、ケーシング内に搭載された測定器本体とを備えている。被測定者は、血圧測定対象となる動脈（例えば橈骨動脈）が内部に存在する位置（被測定部）に測定器本体の少なくとも一部が接触するように、帯状体を被測定部に巻きつけることにより血圧測定器１０を装着し、測定器本体を操作して、後述するように血圧関連情報の測定および表示を行うことができる。
【００２２】
例えば、血圧測定器１０は、ＰＴＴ方式、トノメトリ方式、光学方式、電波方式、または、超音波方式などを用いた連続測定型の血圧検出方式を採用して、被測定者の血圧関連情報を測定することができる。ＰＴＴ方式は、脈波伝播時間（ＰＴＴ；Pulse Transmit Time）を測定し、測定した脈波伝播時間から血圧値を推定する方式である。トノメトリ方式は、手首の橈骨動脈等の動脈が通る生体部位（被測定部）に圧力センサを直接接触させて、圧力センサが検出する情報を用いて血圧値を測定する方式である。光学方式、電波方式、および、超音波方式は、光、電波または超音波を血管にあててその反射波から血圧値を測定する方式である。
【００２３】
ユーザ端末２０は、例えば、スマートフォンやタブレッドや携帯電話などの携帯通信端末や、パーソナルコンピュータ等の通信端末を採用することができる。
【００２４】
なお、図１には１つの血圧測定器１０および１つのユーザ端末２０のみが記載されているが、サーバ３０は、複数の血圧測定器１０および複数のユーザ端末２０と通信可能であり、複数の血圧測定器１０で測定された血圧関連情報をそれぞれ管理することが可能である。
【００２５】
図２は、図１に示す血圧測定器の構成の一例を示すブロック図である。
血圧測定器１０は、通信部１１と、操作部１２と、制御部１３と、メモリ１４と、血圧情報測定部１５と、表示部１６と、センサ部１７と、を備えている。
【００２６】
通信部１１は、制御部１３によって制御されて、ネットワークを介して、所定の情報を外部へ送信可能であり、外部からの情報を受信して制御部１３へ送信することができる。通信部１１によるネットワークを介した通信は、無線通信、有線通信のいずれでも構わない。本実施形態では、ネットワークは例えばインターネットであるが、これに限定されず、ＬＡＮ（Local Area Network）のような他の種類のネットワークであってもよく、ＵＳＢケーブルなどの通信ケーブルを用いた１対１の通信であってもよい。
【００２７】
操作部１２は、タッチパネルや操作ボタン・操作キーなどの操作デバイス（図示せず）がユーザ（被測定者）によって操作されたことに応じて、操作された内容に応じた操作信号を制御部１３へ出力する。また、操作部１２は、タッチパネルや操作ボタン・操作キーに限定されず、例えば、ユーザの音声による操作指示を認識する音声認識部や、ユーザの生体の一部を認証する生体認証部や、撮像手段により得られる画像によりユーザの表情やジェスチャーを認識する画像認識部などを備えていても構わない。
【００２８】
メモリ１４は、血圧測定器１０を制御するためのプログラムのデータ、血圧測定器１０の各種機能を設定するための設定データ、および、測定結果のデータなどを記憶する。また、メモリ１４は、プログラムが実行されるときのワークメモリなどとして用いられる。
【００２９】
センサ部１７は、血圧測定器１０の帯状体を被測定者の被測定部に装着した際に、少なくとも一部が被測定部と接触する位置に設けられ、被測定者の圧脈波を検出する。センサ部１７は、例えば、空気袋と、押圧部と、ポンプと、少なくとも１つの圧力センサと、を備え、ポンプにより空気袋の内部の空気量を調整して、押圧部から被測定者の被測定部を押圧する圧力を調整可能である。このとき、例えば、センサ部１７による被測定者の橈骨動脈への押圧力は、空気袋の内圧と等価であるとする。なお、センサ部１７は、被測定者の被測定部を押圧できる構成であればよく、空気袋を備える構成に限定されるものではない。
【００３０】
圧力センサは、押圧部と被測定部とが接触する位置に少なくとも１つ配置される。圧力センサは、例えば、被測定部に接触する押圧部の面に形成された感圧ダイオード等により構成することができる。
圧力センサは、例えば、被測定者の橈骨動脈と交差（略直交）するように橈骨動脈に対して押圧される位置に配置され、被測定者の橈骨動脈から発生して皮膚に伝達される圧力振動波、すなわち圧脈波を検出可能である。
【００３１】
血圧情報測定部１５は、制御部１３からの制御信号に基づいてポンプを制御してセンサ部１７の空気袋の圧力を調整し、センサ部１７で検出された圧脈波を受信して、被測定者の最高血圧（ＳＢＰ）と最低血圧（ＤＢＰ）とを測定することができる。また、血圧情報測定部１５はセンサ部１７から得られる圧脈波に基づいて、被測定者の脈拍数を測定することができる。血圧情報測定部１５は、圧脈波と、測定した血圧の測定値と脈拍数とを制御部１３へ出力する。
【００３２】
なお、センサ部１７は上記構成に限定されるものではなく、光センサや、超音波センサを採用してもよい。また、センサ部１７は、例えば、橈骨動脈に押し当てた２つの電極間の脈波伝播時間（ＰＴＴ）を計測してもよい。この場合、センサ部１７はＰＴＴを血圧情報測定部１５へ送信し、血圧情報測定部１５は、例えば、センサ部１７で測定されたＰＴＴと２つの電極間距離と被測定部の押圧力とに基づいて、被測定者の最高血圧（ＳＢＰ）と最低血圧（ＤＢＰ）とを測定可能である。
【００３３】
表示部１６は、例えば表示画面（例えば、ＬＣＤ（Liquid Crystal Display）またはＥＬ（Electroluminescence）ディスプレイなど）やインジケータ等を含み、制御部１３からの制御信号に従って所定の情報を表示する。
【００３４】
制御部１３は、ＣＰＵ（central processing unit）やＭＰＵ（micro processing unit）などのプロセッサを少なくとも１つ含み、メモリ１４に記憶されたプログラムに従って、操作部１２からの操作信号および血圧情報測定部１５からの測定結果に基づいて、メモリ１４、表示部１６、および、通信部１１を制御可能である。例えば、制御部１３は、操作部１２による指示に応じて、被測定者の現在の血圧を測定するモードを実行可能である。また、制御部１３は、操作部１２による指示に応じて、所定の時間間隔（例えば脈拍の１拍毎）で、長期間（例えば２４時間）連続して、被測定者の血圧等（最高血圧および最低血圧など）を自動的に測定するモードを実行可能である。
【００３５】
制御部１３は、情報取得部１３１と、表示処理部１３２とを備えていてもよい。  
情報取得部１３１は、通信部１１を介して、被測定者の血圧関連情報に基づくサージ血圧情報および心房細動発生情報を取得することができる。
【００３６】
表示処理部１３２は、情報取得部１３１からサージ血圧情報を受信し、例えば図９に示すように、表示部１６の表示画面に、２４時間に対応する円状の時間軸Ｔを設定し、時間軸Ｔに時計回りに２４時間における単位時間の経過を表す時間目盛を設定し、時間軸Ｔの円弧の径方向Ａ（図７に示す）の外向きに延び、単位時間毎のサージ血圧値に応じた高さを有する棒グラフＢの集合を含む円状グラフＧ２として、サージ血圧情報を表示可能である。
【００３７】
また、表示処理部１３２は、情報取得部１３１から心房細動発生情報を受信し、被測定者の心房細動が発生した時刻に対応する時間軸Ｔの時間目盛にプロットを表示したり、心房細動が発生した時刻における棒グラフＢを他の棒グラフＢと異なる色で表示させたりすることができる。
【００３８】
なお、表示処理部１３２は、通信部１１、操作部１２およびメモリ１４から得られる情報や指示に基づいて、上記円状グラフＧ２以外の各種の画像（静止画と動画とを含む）を表示部１６の表示画面に表示させる画像信号を生成可能である。表示処理部１３２は、生成した画像信号を表示部１６へ出力する。
【００３９】
なお、血圧測定器１０は、活動量測定機能、歩数計測機能、睡眠状態計測機能、および、環境（温度・湿度）計測機能の少なくとも１つ、を備えていてもよい。すなわち、血圧測定器１０は、３軸センサと、環境センサと、気圧計と、の少なくとも１つを更に備えていてもよく、３軸センサにより加速度を検出し、被測定者の活動量を算出可能に構成されてもよく、３軸センサにより加速度を検出するとともに気圧計により気圧を検出して、被測定者の歩数、早歩き歩数、階段のぼり歩数などを算出可能に構成されてもよく、３軸センサにより加速度を検出し、被測定者の寝返りの状態を検出することで、睡眠状態を検出可能に構成されてもよい。
【００４０】
また、環境センサは、ユーザの周囲の環境情報を測定し、測定した環境データを取得するセンサを含む。環境センサは、気温、温度、湿度、音、光などを測定するセンサを含んでも良い。環境センサは、血圧値の変動に直接あるいは間接的に関連があることが想定される環境の情報（環境データ）を測定するセンサを含むものであっても良い。また、制御部１３は、環境センサが測定する測定データを時刻情報に基づいて設定する測定時刻と紐づけて測定データ（環境データ）として取得することができる。
【００４１】
例えば、気温（気温の変化）は、人間の血圧変動を引き起こしうる要素の１つとして考えられる。このため、環境センサが測定する気温データは、ユーザの血圧変動の要因となりうる情報であり、血圧以外の１つの要素の測定データとして出力されうる。また、気温以外にも湿度、音、光などが血圧変動を引き起こしうる要素の１つとして考えらえる場合には、それらの測定データが、血圧以外の要素の測定データとして出力されるようにして良い。
【００４２】
図３は、図１に示すユーザ端末の構成の一例を示すブロック図である。
ユーザ端末２０は、通信部２１と、操作部２２と、制御部２３と、メモリ２４と、表示部２５と、を備えている。
【００４３】
本実施形態では、ユーザ端末２０は、例えば、スマートフォンやタブレッドなどの携帯通信端末であって、後述の処理を実行可能となるようにアプリケーションソフトウエア（プログラム）をインストールしたものである。
【００４４】
通信部２１は、制御部２３によって制御されて、ネットワークを介して、所定の情報を外部へ送信可能であり、外部からの情報を受信して制御部２３へ送信することができる。通信部２１によるネットワークを介した通信は、無線通信、有線通信のいずれでも構わない。本実施形態では、ネットワークは例えばインターネットであるが、これに限定されず、ＬＡＮ（Local Area Network）のような他の種類のネットワークであってもよく、ＵＳＢケーブルなどの通信ケーブルを用いた１対１の通信であってもよい。
【００４５】
操作部２２は、例えば、タッチパネルや操作ボタンを備え、ユーザ（例えば被測定者）による操作に対応した操作信号を制御部２３へ送信する。また、操作部２２は、タッチパネルや操作ボタンに限定されず、例えば、キーボードおよびマウスなどの操作手段や、ユーザの音声による操作指示を認識する音声認識部や、ユーザの生体の一部を認証する生体認証部や、撮像手段により得られる画像によりユーザの表情やジェスチャーを認識する画像認識部などを備えていても構わない。
【００４６】
メモリ２４は、例えば、制御部２３でプログラムを実行するために必要な作業領域として用いられるＲＡＭ（Random Access Memory）と、制御部２３で実行するための基本的なプログラムを記憶するためのＲＯＭ（Read Only Memory）とを含む。また、メモリ２４の記憶領域を補助するための補助記憶装置の記憶媒体として、半導体メモリ（メモリカード、ＳＳＤ（Solid State Drive））などを備えていてもよい。
【００４７】
表示部２５は、表示画面（例えば、ＬＣＤまたはＥＬディスプレイなど）を含む。表示部２５は、制御部２３によって制御され、所定の画像を表示画面に表示可能である。
【００４８】
制御部２３は、例えば、ＣＰＵやＭＰＵなどのプロセッサを少なくとも１つと、その補助回路とを備え、ユーザ端末２０の各構成を制御可能である。制御部２３は、メモリ２４に記憶されたプログラムおよびデータに従って後述の処理を実行する。すなわち、制御部２３は、操作部２２、および、通信部２１から入力されたデータを処理し、処理したデータを、メモリ２４に記憶させたり、表示部２５で表示させたり、通信部２１から出力させたりすることが可能である。
【００４９】
制御部２３は、情報取得部２３１と、表示処理部２３２とを備えていてもよい。  
情報取得部２３１は、通信部２１を介して、被測定者の血圧関連情報に基づくサージ血圧情報および心房細動発生情報を取得することができる。
【００５０】
表示処理部２３２は、情報取得部２３１からサージ血圧情報を受信し、例えば図６および図７に示すように、表示部２５の表示画面に、２４時間に対応する円状の時間軸Ｔを設定し、時間軸Ｔに時計回りに２４時間における単位時間の経過を表す時間目盛を設定し、時間軸Ｔの円弧の径方向Ａの外向きに延び、単位時間毎のサージ血圧値に応じた高さを有する棒グラフＢの集合を含む円状グラフＧ１として、サージ血圧情報を表示可能である。
【００５１】
また、表示処理部２３２は、情報取得部２３１から心房細動発生情報を受信し、被測定者の心房細動が発生した時刻に対応する時間軸Ｔの時間目盛にプロットを表示したり、心房細動が発生した時刻における棒グラフＢを他の棒グラフＢと異なる色で表示させたりすることができる。
【００５２】
なお、表示処理部２３２は、通信部２１、操作部２２およびメモリ２４から得られる情報や指示に基づいて、上記円状グラフＧ１以外の各種の画像（静止画と動画とを含む）を表示部２５の表示画面に表示させる画像信号を生成することができる。表示処理部２３２は、生成した画像信号を表示部２５へ出力する。
【００５３】
図４は、図１に示すサーバの構成の一例を示すブロック図である。
サーバ３０は、通信部３１と、操作部３２と、制御部３３と、記憶部３４と、表示部３５と、を含む。サーバ３０は、例えば汎用のコンピュータ装置に、後述の処理を行わせるようにプログラム（ソフトウェア）をインストールしたものである。
【００５４】
操作部３２は、例えば、キーボードおよびマウスで構成され、ユーザによる操作を示す操作信号を制御部３３へ送信する。また、操作部３２は、キーボードおよびマウスに替えて、または、加えて、タッチパネルなどの他の操作デバイスで構成されるようにしてもよい。
【００５５】
通信部３１は、ネットワークを介して、制御部３３からの情報を外部（この例では血圧測定器１０又はユーザ端末２０）へ送信するとともに、ネットワークを介して、外部から送信されてきた情報を受信して制御部３３へ送信する。
【００５６】
記憶部３４は、制御部３３でプログラムを実行するために必要な作業領域として用いられるＲＡＭと、制御部３３で実行するための基本的なプログラムを記憶するためのＲＯＭとを含む。記憶部３４には、血圧測定器１０或いはユーザ端末２０から送られてきた多くの血圧関連情報のデータを含むデータベースが設けられている。また、記憶部３４の記憶領域を補助するための補助記憶装置の記憶媒体として、磁気ディスク（ＨＤ（Hard Disk）、ＦＤ（FlexibleDisk））、光ディスク（ＣＤ（Compact Disc）、ＤＶＤ（Digital Versatile Disk）、ＢＤ（Blu-ray（登録商標） Disc））、光磁気ディスク（ＭＯ（Magneto-Optical disk））、または、半導体メモリ（メモリカード、ＳＳＤ）などが用いられてもよい。
【００５７】
表示部３５は、表示画面（例えば、ＬＣＤまたはＥＬディスプレイなど）を含む。表示部３５は、制御部３３によって制御されて、所定の画像（静止画と動画とを含む）を表示画面に表示させる。
【００５８】
制御部３３は、例えば、ＣＰＵやＭＰＵなどのプロセッサを少なくとも１つと、その補助回路とを備えている。制御部３３は、サーバ３０の各部を制御し、記憶部３４に記憶されたプログラムおよびデータに従って所定の処理を実行し、操作部３２、および、通信部３１から入力されたデータを処理し、処理したデータを、記憶部３４に記憶させたり、表示部３５で表示させたり、通信部３１から出力させたりすることが可能である。
【００５９】
（動作）
次に、以上のように構成された血圧関連情報表示装置が搭載された血圧関連情報管理システムの動作の一例を説明する。
最初に、血圧測定器１０で測定された血圧関連情報をサーバ３０の記憶部３４へ蓄積する動作の一例について説明する。
【００６０】
ユーザが、長期間連続して自動的に血圧関連情報を測定するモードを実行するように、血圧測定器１０の操作部１２を操作すると、血圧測定器１０の制御部１３は、所定の時間間隔で、例えば、被測定者の最高血圧と、最低血圧と、単位時間当たりの脈拍数と、測定年月日および時刻と、を含む血圧関連情報を測定するように、血圧情報測定部１５、および、センサ部１７を制御する。
【００６１】
制御部１３は、通信部１１を制御して、ユーザ端末２０を介して（或いは、ユーザ端末２０を介することなく）、測定した血圧関連情報を被測定者(或いは血圧測定器１０)の個別の識別情報と合わせてサーバ３０へ送信する。このとき、制御部１３は、血圧関連情報をリアルタイムでサーバ３０へ随時送信してもよく、複数回の血圧関連情報をまとめてサーバ３０へ送信してもよい。通信部１１による通信の頻度を少なくすることにより、血圧測定器１０の電力消費を低く抑えることができる。
【００６２】
サーバ３０の制御部３３は、通信部３１を介して血圧関連情報を受信し、記憶部３４のデータベースへ記憶させる。
血圧測定器１０、ユーザ端末２０、および、サーバ３０は上記動作を繰り返し、被測定者の血圧関連情報を記憶部３４のデータベースへ蓄積する。
【００６３】
続いて、記憶部３４のデータベースに蓄積された血圧関連情報を血圧関連情報表示装置にて表示する際の動作の一例について説明する。
【００６４】
図５は、本発明の一実施形態に係る血圧関連情報表示方法を説明するフローチャートである。なお、ここでは、ユーザ端末２０を血圧関連情報表示装置とした例について説明する。
【００６５】
例えば、ユーザが血圧関連情報を表示するように操作部２２を操作すると、ユーザ端末２０の情報取得部２３１は、通信部２１を介して血圧関連情報の表示情報をサーバ３０に要求する信号を送信する。このとき、ユーザにより、例えば、表示する血圧関連情報が測定された年月日を指定可能としてもよく、表示する項目を予め設定可能としてもよい。
【００６６】
また、ユーザが所定の年月日（或いは曜日）の所定の時刻（例えば、毎日２４時、土曜日の１０時など）になったときに血圧関連情報の表示情報を表示するように予め設定可能とし、所定の年月日（或いは曜日）の所定の時刻となったときに、情報取得部２３１が自動的に（ユーザの操作に寄らず）所定の年月日の血圧関連情報の表示情報をサーバ３０に要求する信号を送信してもよい。例えば、ユーザが毎日２４時に血圧関連情報を表示するように予め設定したときには、情報取得部２３１が自動的に、当日の０時から２４時に測定された血圧関連情報の表示情報をサーバ２０に要求する信号を送信する。
【００６７】
サーバ３０の制御部３３は、通信部３１を介してユーザ端末２０から血圧関連情報の表示情報を要求する信号を受信すると、例えば、記憶部３４のデータベースに記憶された情報から、要求された年月日に測定された血圧関連情報を読み出し、ユーザ端末２０で表示するための血圧関連情報の表示情報を生成する。
【００６８】
なお、血圧関連情報の表示情報は、例えば、所定の期間（例えば０時から２４時までの２４時間）に測定された被測定者の血圧関連情報に基づく、サージ血圧値および該サージ血圧が発生した時刻（サージ血圧情報）を含む。また、血圧関連情報の表示情報は、所定の期間（例えば０時から２４時までの２４時間）に測定された被測定者の血圧関連情報に基づく、被測定者の心房細動が発生した時刻（又は期間）と、心房細動が発生した回数と、発生した心房細動の合計継続時間（心房細動発生情報）と、を含んでいてもよい。
【００６９】
なお、制御部３３は、例えば、被測定者の脈拍数や圧脈波の情報に基づいて、被測定者に心房細動が発生しているか否かを判断することが可能である。また、制御部３３は、例えば、被測定者の血圧値が単位時間あたりに急激に増加したか否か基づいて、サージ血圧が発生しているか否かを判断することができる。  制御部３３は、要求されたサージ血圧情報および心房細動発生情報を含む血圧関連情報の表示情報を生成すると、通信部３１を介してユーザ端末２０へ送信する。
【００７０】
ユーザ端末２０の情報取得部２３１は、通信部２１を介して、サーバ３０から血圧関連情報の表示情報を受信（取得）し（ステップＳ１）、表示処理部２３２へ供給する。
【００７１】
表示処理部２３２は、情報取得部２３１から受信した情報に基づいて、表示部２５の表示画面に円状グラフＧ１と、最高サージ血圧値と、心房細動サージが発生した回数と、心房細動合計継続時間と（表示画像）を表示させるための画像信号を生成し（ステップＳ２）、生成した画像信号を表示部２５へ出力して表示画面に表示させる（ステップＳ３）。
【００７２】
図６は、ユーザ端末の表示部に血圧関連情報を表示したときの一例を示す平面図である。
表示処理部２３２は、例えば、サージ血圧値を円状の時間軸Ｔに沿って時系列に表示する円状グラフＧ１と、最高サージ血圧値と、心房細動サージが発生した回数と、心房細動合計継続時間と、表示部２５の表示画面に表示させることができる。
【００７３】
また、ユーザ端末２０のメモリ２４に、過去の血圧関連情報の表示情報が記憶されているときには、表示処理部２３２は、今回の血圧関連情報と過去の血圧関連情報とを比較して、被測定者の健康状態が改善した項目や悪化した項目などに基づく評価結果を、表示部２５の表示画面に表示させてもよい。
【００７４】
図７は、血圧関連情報の表示に含まれる円状グラフの一部を例示した図である。
表示処理部２３２は、２４時間に対応する円状の時間軸Ｔを設定し、時計回りに２４時間における単位時間の経過を表す時間目盛を時間軸Ｔに設定し、時間軸Ｔの円弧の径方向Ａの外向きに延び、単位時間毎のサージ血圧値に応じた高さを有する棒グラフＢの集合を含む円状グラフＧ１として、サージ血圧情報を表示可能である。
【００７５】
時間軸Ｔは、例えば０時から２４時までの期間を示し、例えば、０時、６時、１２時、および、１８時の対応する位置に数字「０」、「６」、「１２」、「１８」が表示され、０時と２４時との位置で接続した円形状となっている。なお、時間軸Ｔの時間目盛は、表示画面に表示されなくてもよく、例えば複数の時間目盛を間引いて一部の時間目盛のみを所定の間隔で表示してもよい。
【００７６】
棒グラフＢは、サージ血圧が発生した時刻に対応する時間軸Ｔの時間目盛の位置から、径方向Ａに沿って山形状に突出し、サージ血圧値の大きさに対応して径方向Ａにおける高さが設定されている。なお、棒グラフＢの高さはサージ血圧値の大きさに比例するものでなくてもよく、例えば、危険度の高いサージ血圧値について高さを誇張するように表示してもよい。また、棒グラフＢの形状は上記に限定されるものではなく、時間軸Ｔから略矩形形状に突出した形状であってもよい。
【００７７】
表示処理部２３２は、径方向Ａに関して棒グラフＢを高さ方向の複数の領域に区分し、複数の領域毎に異なる表示色としてもよく、例えば、時間軸Ｔからの距離に応じて段階的に棒グラフＢの表示色を変化させてもよい。表示処理部２３２は、例えば、時間軸Ｔから線Ｌ１までの範囲に含まれる領域と、線Ｌ１から線Ｌ２までの範囲に含まれる領域と、線Ｌ２から線Ｌ３までの範囲に含まれる領域と、線Ｌ３から線Ｌ４までの範囲に含まれる領域と、線Ｌ４よりも外側の範囲に含まれる領域とで、棒グラフＢの表示色を変化させてもよい。棒グラフＢの表示色を段階的に変えることにより、サージ血圧の高低を色により識別することが可能となり、ユーザが被測定者の健康状態を認識することを容易にすることができる。
【００７８】
また、表示処理部２３２は、円状グラフＧ１に被測定者の心房細動が発生した時刻（又は期間）を表示してもよい。例えば、表示処理部２３２は、心房細動が発生した時刻に対応する時間軸Ｔの位置にプロット（図示せず）を表示して、心房細動が発生した時刻（又は期間）を、サージ血圧が発生した時刻と合わせて表示してもよい。また、表示処理部２３２は、例えば、被測定者の心房細動が発生した時刻に対応する棒グラフＢを他の棒グラフＢと異なる色で表示してもよい。
【００７９】
表示処理部２３２は、例えば、ユーザが表示画面に表示する情報を変更するように操作部２２の操作（例えば、タッチパネルをスワイプする操作や操作ボタンを押す操作など）をしたときに、表示画面に表示される情報が変わるように画像信号を生成して表示部２５へ出力することができる。これにより、例えば、ユーザは、操作部２２を操作することで、円状グラフＧ１と合わせて表示する情報を変更し、サージ血圧情報と心房細動発生情報との関連を確認することができる。
【００８０】
（効果）
上記のように、円状グラフＧ１により、被測定者のサージ血圧値と、心房細動が発生した時刻（又は期間）とを表示することにより、被測定者（或いは医師や家族などの第３者）は被測定者のサージ血圧値と心房細動とが発生する傾向（それぞれが発生する時間帯や、サージ血圧と心房細動との相互関係など）を認識することが容易となり、被測定者の健康管理を行う際の負担を軽減することができ、被測定者の健康状態を改善することを支援することができる。
【００８１】
すなわち、本実施形態の血圧関連情報表示装置および方法によれば、２４時間測定された血圧値により被測定者の健康状態の把握を容易にすることができる。
【００８２】
［他の実施形態］
次に、他の実施形態の血圧関連情報表示装置および方法について図面を参照して説明する。ここでは、記憶部３４のデータベースに蓄積された血圧関連情報を血圧関連情報表示装置にて表示する際の動作の一例について説明し、血圧測定器１０を血圧関連情報表示装置とした例について説明する。なお、以下の説明において、上述の実施形態と同様の構成については、同一の符号を付して説明を省略する。
血圧測定器１０で測定された血圧関連情報をサーバ３０の記憶部３４へ蓄積する動作は、上述の実施形態と同様であるので、ここでは説明を省略する。
【００８３】
図８は、本発明の一実施形態に係る血圧関連情報表示方法の他の例を説明するフローチャートである。
例えば、ユーザが血圧関連情報を表示するように操作部１２を操作すると、血圧測定器１０の情報取得部１３１は、通信部１１を介して（或いは通信部１１およびユーザ端末２０を介して）血圧関連情報の表示情報をサーバ３０に要求する信号を送信する。このとき、ユーザにより、例えば、表示する血圧関連情報が測定された年月日を指定可能としてもよく、表示する項目を予め設定可能としてもよい。
【００８４】
また、ユーザが所定の年月日（或いは曜日）の所定の時刻（例えば、毎日２４時、土曜日の１０時など）になったときに血圧関連情報の表示情報を表示するように予め設定可能とし、所定の年月日（或いは曜日）の所定の時刻となったときに、情報取得部１３１が自動的に（ユーザの操作に寄らず）所定の年月日の血圧関連情報の表示情報をサーバ３０に要求する信号を送信してもよい。
【００８５】
サーバ３０の制御部３３は、通信部３１を介して血圧測定器１０（或いはユーザ端末２０）から血圧関連情報の表示情報を要求する信号を受信すると、例えば、上述の実施形態と同様に、記憶部３４のデータベースに記憶された情報から、要求された年月日に測定された血圧関連情報を読み出し、血圧測定器１０で表示するための血圧関連情報の表示情報を生成する。
【００８６】
制御部３３は、要求された血圧関連情報の表示情報を生成すると、通信部３１を介して（或いは通信部３１およびユーザ端末２０を介して）血圧測定器１０へ送信する。
血圧測定器１０の情報取得部１３１は、通信部１１を介して、血圧関連情報の表示情報を取得し（ステップＳ４）、表示処理部１３２に供給する。
【００８７】
表示処理部１３２は、情報取得部１３１から受信した情報に基づいて、ユーザの操作に従って、表示部１６の表示画面に円状グラフＧ２と、最高サージ血圧値と、心房細動サージが発生した回数と、心房細動合計継続時間と（表示画像）を表示させるための画像信号を生成し（ステップＳ５）、生成した画像信号を表示部１６へ出力して表示画面に表示させる（ステップＳ６）。
【００８８】
図９は、血圧測定器における血圧関連情報の表示の一例を示す平面図である。
表示処理部１３２は、例えば、サージ血圧値を円状の時間軸Ｔに沿って時系列に表示する円状グラフＧ２と、最高サージ血圧値と、心房細動サージが発生した回数と、心房細動合計継続時間と、を表示部１６の表示画面に表示させることができる。図９では、円状グラフＧ２と、最高サージ血圧値と、最高サージ血圧値が発生した年月日および時刻と、が表示画面に表示された例を示している。
【００８９】
円状グラフＧ２は、上記円状グラフＧ１と同様に、２４時間に対応する円状の時間軸Ｔを設定し、時計回りに２４時間における単位時間の経過を表す時間目盛を時間軸Ｔに設定し、時間軸Ｔの円弧の径方向Ａの外向きに延び、単位時間毎のサージ血圧値に応じた高さを有する棒グラフＢの集合を含む。
【００９０】
時間軸Ｔは、例えば０時から２４時までの期間を示し、例えば、０時、６時、１２時、および、１８時の対応する位置に数字「０」、「６」、「１２」、「１８」が表示され、０時と２４時との位置で接続した円形状となっている。なお、時間軸Ｔの時間目盛は、表示画面に表示されなくてもよく、例えば複数の時間目盛を間引いて一部の時間目盛のみを所定の間隔で表示してもよい。
【００９１】
棒グラフＢは、サージ血圧が発生した時刻に対応する時間軸Ｔの時間目盛の位置から、径方向Ａ（図７に示す）に沿って山形状に突出し、サージ血圧値の大きさに対応して径方向Ａにおける高さが設定されている。なお、棒グラフＢの高さはサージ血圧値の大きさに比例するものでなくてもよく、例えば、危険度の高いサージ血圧値について高さを誇張するように表示してもよい。また、棒グラフＢの形状は上記に限定されるものではなく、時間軸Ｔから略矩形形状に突出した形状であってもよい。
【００９２】
表示処理部１３２は、径方向Ａに関して棒グラフＢを高さ方向の複数の領域に区分し、複数の領域毎に異なる表示色としてもよく、例えば、時間軸Ｔからの距離に応じて段階的に棒グラフＢの表示色を変化させてもよい。表示処理部１３２は、例えば図７に示すように、時間軸Ｔから線Ｌ１までの範囲に含まれる領域と、線Ｌ１から線Ｌ２までの範囲に含まれる領域と、線Ｌ２から線Ｌ３までの範囲に含まれる領域と、線Ｌ３から線Ｌ４までの範囲に含まれる領域と、線Ｌ４よりも外側の範囲に含まれる領域とで、棒グラフＢの表示色を変化させてもよい。
【００９３】
また、表示処理部１３２は、円状グラフＧ２に被測定者の心房細動が発生した時刻（又は期間）を表示してもよい。例えば、表示処理部１３２は、心房細動が発生した時刻に対応する時間軸Ｔの位置にプロット（図示せず）を表示して、心房細動が発生した時刻（又は期間）を、サージ血圧が発生した時刻と合わせて表示してもよい。また、表示処理部１３２は、例えば、被測定者の心房細動が発生した時刻に対応する棒グラフＢを他の棒グラフＢと異なる色で表示してもよい。
【００９４】
また表示処理部１３２は、例えば、表示部１６の表示画面に表示されている最高サージ血圧に対応する棒グラフＢを点滅させたり、他の棒グラフＢとは異なる色で表示させたりすることにより、円状グラフＧ２に表示したサージ血圧の情報と、表示部１６の表示画面に表示されている他の情報とを対応付けて表示してもよい。
【００９５】
表示処理部１３２は、例えば、ユーザが表示画面に表示する情報を変更するように操作部１２の操作（例えば、タッチパネルをスワイプする操作や操作ボタンを押す操作など）をしたときに、表示画面に表示される情報が変わるように画像信号を生成して表示部１６へ出力することができる。これにより、例えば、ユーザは、操作部１２を操作することで、円状グラフＧ２と合わせて表示する情報を変更し、サージ血圧情報と心房細動発生情報との関連を確認することができる。
【００９６】
なお、血圧測定器１０が更にスピーカ（図示せず）を備えている場合には、血圧測定器１０にて血圧関連情報を表示する際に、アラームにより被測定者に表示を知らせてもよい。このことにより、被測定者が、血圧測定器１０に表示された情報を見逃すことを回避することができ、被測定者が自身の健康状態を確認することを習慣化することを期待できる。
【００９７】
（効果）
上記のように、円状グラフＧ２により、被測定者のサージ血圧値と、心房細動が発生した時刻（又は期間）とを表示することにより、被測定者は自身のサージ血圧値と心房細動とが発生する傾向（それぞれが発生する時間帯や、サージ血圧と心房細動との相互関係など）を認識することが容易となり、被測定者が自身の健康管理を行う際の負担を軽減することができ、被測定者が自身の健康状態を改善することを支援することができる。
【００９８】
また、上記のように、血圧測定器１０の表示部１６に血圧関連情報を表示することにより、被測定者は血圧測定のために常に被測定部に装着された血圧測定器１０を用いて、自身の健康状態を確認することが可能となり、被測定者の利便性を更に向上することができる。
【００９９】
すなわち、本実施形態の血圧関連情報表示装置および方法によれば、長期間連続して測定された血圧関連情報による被測定者の健康状態の把握を容易にする血圧関連情報表示装置および方法を提供することができる。
【０１００】
なお、上記実施形態では、いずれも２４時間測定された被測定者のサージ血圧情報および心房細動発生情報を表示する血圧関連情報表示装置および方法について説明したが、表示部に表示される情報は２４時間分の情報に限定されるものではない。例えば、血圧関連情報表示装置は、ユーザが設定した時間帯のみについて、被測定者のサージ血圧情報および心房細動発生情報を表示可能に構成されてもよい。その場合には、時間軸Ｔを２４時間として、時間軸Ｔの一部の時間目盛に対応する時間帯のみに、棒グラフＢ等を表示してもよく、時間軸Ｔの開始時刻、終了時刻および時間目盛を、所定の情報を表示する時間帯に合わせて調整してもよい。
【０１０１】
また、上記実施形態では、血圧関情報表示装置からサーバへ血圧関連情報の表示情報を要求することにより、血圧関連情報表示装置が表示情報を得ていたが、例えば、被測定者の健康状態が悪化していると判断したときには、血圧関連情報表示装置から要求されないときであっても血圧関連情報の表示情報を血圧関連情報表示装置へ送信してもよい。このことにより、ユーザは被測定者の健康状態の悪化を初期の段階で認識することが可能となり、被測定者の健康管理をより効果的に行うことが可能となる。なお、このときの血圧関連情報表示装置の動作は、血圧関連情報の表示情報を要求しないこと以外は、上述の実施形態と同様である。
【０１０２】
なお、上記実施形態において、制御部１３は、例えば、被測定者の脈拍数や圧脈波の情報に基づいて、被測定者に心房細動が発生しているか否かを判断可能に構成されてもよい。また、制御部１３は、例えば、被測定者の血圧値が単位時間あたりに急激に増加したか否か基づいて、サージ血圧が発生しているか否かを判断可能に構成されてもよい。
【０１０３】
また、上記実施形態において、制御部２３は、例えば、被測定者の脈拍数や圧脈波の情報に基づいて、被測定者に心房細動が発生しているか否かを判断可能に構成されてもよい。また、制御部２３は、例えば、被測定者の血圧値が単位時間あたりに急激に増加したか否か基づいて、サージ血圧が発生しているか否かを判断可能に構成されてもよい。
これらの場合には、血圧関連情報表示装置において、からサーバに対して血圧関連情報の表示情報を要求することを省略することができる。
【０１０４】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【０１０５】
上記実施形態の一部又は全部は、以下の付記のようにも記載され得るが、以下には限られるものではない。  
（付記１）
被測定者の血圧に関する情報を表示画面に表示する血圧関連情報表示装置であって、ハードウェアプロセッサと、メモリとを有し、
前記ハードウェアプロセッサは、
前記被測定者のサージ血圧情報を取得し、
前記表示画面に、２４時間に対応する円状の時間軸を設定し、時計回りに前記２４時間における単位時間の経過を表す時間目盛を前記時間軸に設定し、前記時間軸の円弧の径方向外向きに延び、前記単位時間毎の前記サージ血圧情報に基づく値に応じた高さを有する棒グラフの集合を含む円状グラフとして、前記サージ血圧情報を表示するように構成される血圧関連情報表示装置。
（付記２）
被測定者の血圧に関する情報を表示画面に表示する方法であって、
少なくとも１つのハードウェアプロセッサを用いて、被測定者のサージ血圧情報を取得し、
少なくとも１つのハードウェアプロセッサを用いて、表示画面に、２４時間に対応する円状の時間軸を設定し、時計回りに前記２４時間における単位時間の経過を表す時間目盛を前記時間軸に設定し、前記時間軸の円弧の径方向外向きに延び、前記単位時間毎の前記サージ血圧情報に基づく値に応じた高さを有する棒グラフの集合を含む円状グラフとして、前記サージ血圧情報を表示する、血圧関連情報表示方法。
【符号の説明】
【０１０６】
１０…血圧測定器、１１…通信部、１２…操作部、１３…制御部、１３１…情報取得部、１３２…表示処理部、１４…メモリ、１５…血圧情報測定部、１６…表示部、１７…センサ部、２０…ユーザ端末、２１…通信部、２２…操作部、２３…制御部、２３１…情報取得部、２３２…表示処理部、２４…メモリ、２５…表示部、３０…サーバ、３１…通信部、３２…操作部、３３…制御部、３４…記憶部（データベース）、３５…表示部、Ｇ１、Ｇ２…円状グラフ。
【図１】
2018149175.tif 000003
【図２】
2018149175.tif 000004
【図３】
2018149175.tif 000005
【図４】
2018149175.tif 000006
【図５】
2018149175.tif 000007
【図６】
2018149175.tif 000008
【図７】
2018149175.tif 000009
【図８】
2018149175.tif 000010
【図９】
2018149175.tif 000011